(57)【特許請求の範囲】
【請求項１】
焼結機と煙突の間に、電気集塵機と、風量調整ダンパーを備えた排風機を直列に配置した焼結排ガス処理装置であって、前記電気集塵機の後段に更に活性炭移動層式の乾式排ガス処理設備と、その直前に位置して風量調整ダンパーを備えた前記乾式排ガス処理設備用の排風機を直列に配置するとともに、前記電気集塵機と、乾式排ガス処理設備用の排風機に備えた風量調整ダンパーとの間で分岐されて、活性炭移動層式の乾式排ガス処理設備と煙突の間に戻るバイパス煙道を設け、このバイパス煙道には焼結機の立ち上げ時にはダンパーを開き、焼結機の立ち上げ後はダンパーを閉じるように制御する風量調整ダンパーを設けたことを特徴とする焼結排ガス処理装置。
【請求項２】
活性炭移動層式の乾式排ガス処理設備用の排風機に設置された風量調整ダンパーとバイパス煙道にある風量調整ダンパーの開閉を自動制御するコントローラが設置されている請求項１に記載の焼結排ガス処理装置。
【請求項３】
請求項１に記載の焼結排ガス処理装置において、立ち上げ時には活性炭移動層式の乾式排ガス処理設備用の排風機に設置された風量調整ダンパーを閉じ、前記電気集塵機と、乾式排ガス処理設備用の排風機に備えた風量調整ダンパーとの間で分岐されて、活性炭移動層式の乾式排ガス処理設備と煙突の間に戻るバイパス煙道にある風量調整ダンパーを開いた状態で焼結機側の排風機を起動し、乾式排ガス処理設備用の排風機を起動した後、焼結機側の排風機と乾式排ガス処理設備用の排風機の二つの排風機間の圧力が一定となるよう乾式排ガス処理設備用の排風機に設置された風量調整ダンパーを徐々に開くとともに、バイパス煙道にある風量調整ダンパーを徐々に閉じ、次いで乾式排ガス処理設備用の排風機に設置された風量調整ダンパーを全開としバイパス煙道にある風量調整ダンパーを全閉として、前記二つの排風機間の圧力が一定となるようにコントローラにより自動制御しながら運転することを特徴とする焼結排ガス処理装置の運転方法。
【発明の詳細な説明】
【０００１】
【発明の属する技術分野】
本発明は、低い使用圧力値で設計したダクトを用いて安全に排風機を起動させることができる焼結排ガス処理装置およびその運転方法に関するものである。
【０００２】
【従来の技術】
従来から、製鉄工場における焼結機から出る焼結排ガスは、大気汚染防止法により煤塵濃度が規制されているため、所定濃度以下で運転するように電気集塵機等を設置して対応している。このような焼結排ガス処理装置としては、図２または図３に示されるように、焼結機２０と煙突２１の間に電気集塵機２２を設置し、該電気集塵機２２の後段あるいは前段に焼結機用の排風機２３を直列に配置したものが知られている。
【０００３】
一方、最近では更に脱硫脱硝処理も同時に行う必要が生じてきたため、焼結機の後段に例えば活性炭移動層式の乾式排ガス処理設備を配置することが検討されている。しかしながら、活性炭移動層式の乾式排ガス処理設備は電気集塵機に比べて高い圧力損失を生じるため、前記排風機２３とは別に活性炭移動層式の乾式排ガス処理設備用の大型排風機の増設が必要となり、この場合、排ガス処理の立ち上げ時において乾式排ガス処理設備用の排風機による吸引負圧（約−４００mmaq程度）に耐え得るダクトやダンパー等の設備を設計する必要が生じるが、このような高い吸引負圧に耐え得るダクト等の設計は膨大な費用がかかってしまうという問題点があった。
そこで、通常の排ガス処理の使用圧力（約−１００mmaq程度）程度で設計したダクト等の設備で安全に運転が可能な焼結排ガス処理装置およびその運転方法の開発が要求されていた。
【０００４】
【発明が解決しようとする課題】
本発明は上記のような従来の問題点を解決して、通常の排ガス処理の使用圧力程度の低い使用圧力値で設計したダクトを用いて安全に排風機を起動させることができるとともに、設計製作費も安価にすることができる焼結排ガス処理装置およびその運転方法を提供することを目的として完成されたものである。
【０００５】
【課題を解決するための手段】
上記の課題を解決するためになされた本発明は、焼結機と煙突の間に、電気集塵機と、風量調整ダンパーを備えた排風機を直列に配置した焼結排ガス処理装置であって、前記電気集塵機の後段に更に活性炭移動層式の乾式排ガス処理設備と、その直前に位置して風量調整ダンパーを備えた前記乾式排ガス処理設備用の排風機を直列に配置するとともに、前記電気集塵機と、乾式排ガス処理設備用の排風機に備えた風量調整ダンパーとの間で分岐されて、活性炭移動層式の乾式排ガス処理設備と煙突の間に戻るバイパス煙道を設け、このバイパス煙道には焼結機の立ち上げ時にはダンパーを開き、焼結機の立ち上げ後はダンパーを閉じるように制御する風量調整ダンパーを設けたことを特徴とする焼結排ガス処理装置を第１の発明とし、請求項１に記載の焼結排ガス処理装置において、立ち上げ時には活性炭移動層式の乾式排ガス処理設備用の排風機に設置された風量調整ダンパーを閉じ、前記電気集塵機と、乾式排ガス処理設備用の排風機に備えた風量調整ダンパーとの間で分岐されて、活性炭移動層式の乾式排ガス処理設備と煙突の間に戻るバイパス煙道にある風量調整ダンパーを開いた状態で焼結機側の排風機を起動し、乾式排ガス処理設備用の排風機を起動した後、焼結機側の排風機と乾式排ガス処理設備用の排風機の二つの排風機間の圧力が一定となるよう乾式排ガス処理設備用の排風機に設置された風量調整ダンパーを徐々に開くとともに、バイパス煙道にある風量調整ダンパーを徐々に閉じ、次いで乾式排ガス処理設備用の排風機に設置された風量調整ダンパーを全開としバイパス煙道にある風量調整ダンパーを全閉として、前記二つの排風機間の圧力が一定となるようにコントローラにより自動制御しながら運転することを特徴とする焼結排ガス処理装置の運転方法を第２の発明とする。
【０００６】
また、前記活性炭移動層式の乾式排ガス処理設備用の排風機に設置されたダンパーとバイパス煙道にあるダンパーの開閉を自動制御するコントローラが設置されている焼結排ガス処理装置を請求項２に係る発明とする。
【０００７】
【発明の実施の形態】
以下に、図面を参照しつつ本発明の好ましい実施の形態を示す。
図面は、焼結機１と煙突２の間に電気集塵機３と排風機４を直列に配置した焼結排ガス処理装置であって、以上の構成は従来のこの種の排ガス処理装置と基本的に同じである。なお、４ａは焼結機１と排風機４の間に設けられる風量調整ダンパーである。
そして本発明では、前記電気集塵機３の後段に更に活性炭移動層式の乾式排ガス処理設備６とこれ用の排風機５とが、排風機５を前側にし乾式排ガス処理設備６を後側にした状態で直列に配置されているとともに、前記電気集塵機３の排ガスを煙突２に導くためのバイパス煙道７が設けられたものとなっており、このような構成により、排ガス処理の立ち上げ時において排ガスをバイパス煙道７を通して煙突２に導き、ダクトやダンパー等の設備にかかる負荷を低減化するのである。
【０００８】
また、前記乾式排ガス処理設備用の排風機５の前には風量調整ダンパー５ａが設置されており、一方、バイパス煙道７にも風量調整ダンパー７ａが設置されていて、これら風量調整ダンパー５ａ、７ａの開閉を自動制御するコントローラ８が設置されている。なお、該コントローラ８は二つの排風機４、５間の圧力を測定する圧力計９の圧力値に基づき、この圧力値が一定となるように制御するものである。
【０００９】
次に、上記のような焼結排ガス処理装置を運転する方法について説明する。
先ず、立ち上げ時には乾式排ガス処理設備用の排風機５に設置された風量調整ダンパー５ａを閉じバイパス煙道７にある風量調整ダンパー７ａを開いた状態で電気集塵機３側の排風機４を起動する。なお、ここでは焼結機１側の風量調整ダンパー４ａは全開状態として焼結機１の立ち上げを行う。
次いで、二つの排風機４、５間の圧力が一定となるよう乾式排ガス処理設備用の排風機５に設置された風量調整ダンパー５ａを徐々に開くとともに、バイパス煙道７にある風量調整ダンパー７ａを徐々に閉じていくように自動制御する。これにより、二つの排風機４、５間の圧力に大きな変動を発生させることなく焼結機１の立ち上げを進行させることができる。
次いで、焼結機１の焼結状況が安定し立ち上げの完了を確認したら、乾式排ガス処理設備用の排風機５に設置された風量調整ダンパー５ａを全開としバイパス煙道７にある風量調整ダンパー７ａを全閉となるように運転する。これにより、乾式排ガス処理設備用の排風機５を起動したにもかかわらず、二つの排風機４、５間に大きな圧力変動は発生せず、この結果、ダクト等には乾式排ガス処理設備用の排風機５の起動に伴う大きな吸引負圧（約−４００mmaq程度）は作用しないことになる。従って、二つの排風機４、５間には常に通常の排ガス処理時の吸引負圧（約−１００mmaq程度）程度しか作用しないため、ダクトの変形や破損等が生じることもなく、安全に起動・運転を行えることとなる。
【００１０】
なお、前記乾式排ガス処理設備用の排風機５に設置された風量調整ダンパー５ａとバイパス煙道７にある風量調整ダンパー７ａの開閉は、手動により行うこともできるが、二つの排風機４、５間の圧力が一定となるようコントローラ８により自動制御するようにしておくことが好ましい。
【００１１】
【実施例】
図示のような構成からなる焼結排ガス処理装置を定期修理で休止した後、再起動させる場合の運転方法を以下のように行った。
なお、排風機４は吸引風量２５０００m3/min、昇圧能力１２５０mmaq、電動機出力７８００KWH 、乾式排ガス処理設備用の排風機５は吸引風量２５０００m3/min、昇圧能力３５０mmaq、電動機出力１６００KWH である。
先ず、排風機４に設置された風量調整ダンパー４ａ、および乾式排ガス処理設備用の排風機５に設置された風量調整ダンパー５ａをミニマム開度（０％）とし、一方バイパス煙道７にある風量調整ダンパー７ａを全開（１００％）として、この状態で排風機４を起動した。起動完了後に、排風機４の電流値が定格電流値より安全代をとった規定の値（約２００Ａ）を越えないように、徐々に風量調整ダンパー４ａを開けていった。この場合、排ガス温度が定常状態（約１００℃）まで徐々に昇温していくことにより排ガスの密度が低下し、排風機４の電流値が徐々に低下することから、これに合わせて風量調整ダンパー４ａを徐々に開くようにしていくが、この制御は手動、自動のいずれでも可能である。
次いで、排ガス温度が１１０℃、排ガス発生量が８１００００Ｎm3/hで安定したことから、焼結機１の立ち上げ完了と判断し、風量調整ダンパー５ａをミニマム開度（０％）、バイパス煙道７にある風量調整ダンパー７ａを全開（１００％）のままで乾式排ガス処理設備用の排風機５を起動した。起動終了後、風量調整ダンパー７ａを徐々に閉じていった。この時、風量調整ダンパー５ａは、圧力計９の圧力が一定値（−５０mmaq）となるように、ＰＩＤ制御により自動的に開度を調整した。
次いで、風量調整ダンパー７ａをミニマム開度（０％）とし、焼結排ガスの全量を乾式排ガス処理設備６に導き処理を行った。
乾式排ガス処理設備６に導く前の焼結排ガスのＳＯx 値は１８５ppm であったが、乾式排ガス処理設備６に導入後は２ppm まで低下し、焼結排ガスを確実に処理できていることが確認できた。
【００１２】
【発明の効果】
以上の説明からも明らかなように、本発明は通常の排ガス処理の使用圧力程度の低い使用圧力値で設計したダクトを用いて安全に排風機を起動させることができるとともに、設計製作費も安価にすることができるものである。
よって本発明は従来の問題点を一掃した焼結排ガスの処理装置およびその運転方法として、産業の発展に寄与するところは極めて大である。
【図面の簡単な説明】
【図１】本発明の実施の形態を示すレイアウト図である。
【図２】従来例を示すレイアウト図である。
【図３】従来例を示すレイアウト図である。
【符号の説明】
１  焼結機
２  煙突
３  電気集塵機
４  排風機
５  乾式排ガス処理設備用の排風機
5a  風量調整ダンパー
６  乾式排ガス処理設備
７  バイパス煙道
7a  風量調整ダンパー
８  コントローラ
９  圧力計
【図１】
0003840363.tif 000002
【図２】
0003840363.tif 000003
【図３】
0003840363.tif 000004